(57)【要約】      （修正有）【課題】スクリード側で操作をしている作業者が合材ホッパ内部の状況を確実に認識した状態で運転操作をすることができるようにした舗装機械の運転者支援装置を提供する。【解決手段】コンベア１８の運転速度とスクリュースプレッダ１７の運転速度を切り替え指示するためのスイッチ手段３１と、合材ホッパ１６内の状況を撮影する監視カメラ２９と、スクリード２１上に設置された映像表示用のモニタ３０と、を備える舗装機械１１であって、スイッチ手段３１の切り替え操作に連動して、モニタ３０に表示される情報を機械情報から監視カメラ２９で撮影された映像情報に切り替えるとともに、コンベア１８の運転速度とスクリュースプレッダ１７の運転速度を通常態様からこれによりも速い高速態様に切り替えるコントローラを備える。【選択図】図３
2014047568.tif 000002
【特許請求の範囲】
【請求項１】
舗装機本体と、該舗装機本体の前側に配設されて合材を収容してなる合材ホッパと、前記合材ホッパ内の合材を前記舗装機本体の後側へ搬送するコンベアと、該コンベアにより送られて来た前記合材を前記舗装機本体の後側で施工基面上に撒き広げるスクリュースプレッダと、該スクリュースプレッダにて撒き広げられた合材を該スクリュースプレッダの後側で敷き均すスクリードと、前記コンベアの運転速度と前記スクリュースプレッダの運転速度を切り替え指示するためのスイッチ手段と、前記合材ホッパ内の状況を撮影する監視カメラと、前記スクリード上に設置された映像表示用のモニタと、を備える舗装機械であって、
前記スイッチ手段の切り替え操作に連動して、前記モニタに表示される情報を機械情報から前記監視カメラで撮影された映像情報に切り替えるとともに、前記コンベアの運転速度と前記スクリュースプレッダの運転速度を通常態様の速度よりも速い高速態様に切り替えるコントローラを備えることを特徴とする舗装機械の運転者支援装置。
【請求項２】
上記スイッチ手段と上記モニタを、上記スクリードの左右両側２箇所に設けてなることを特徴とする請求項１記載の舗装機械の運転者支援装置。
【請求項３】
上記スイッチ手段は、上記モニタに表示される情報を上記機械情報から上記映像情報に切り替え指示するための切り替えスイッチと、上記コンベアの運転速度と上記スクリュースプレッダの運転速度を上記高速態様に切り替える高速撒き出しスイッチとよりなり、前記コントローラは、前記切り替えスイッチがオン操作されて前記モニタに上記映像情報を表示した後からでないと、前記高速撒き出しスイッチがオン操作されても前記コンベアの速度と前記スクリュースプレッダの速度を前記高速態様に切り替えないように制御することを特徴とする請求項１または２記載の舗装機械の運転者支援装置。
【請求項４】
上記コントローラは、上記スイッチ手段をオン操作して上記モニタに表示される情報を上記機械情報から上記監視カメラで撮影された映像情報に切り替えた後、該スイッチ手段を一度オフ操作し、所定時間後に再びオン操作することにより、上記コンベアに運転速度と上記スクリュースプレッダの運転速度を上記高速態様に切り替えるように制御することを特徴とする請求項１または２記載の舗装機械の運転者支援装置。
【請求項５】
上記コントローラは、上記スイッチ手段を所定時間の間、オン操作し続けないと上記コンベアの運転速度と上記スクリュースプレッダの運転速度を上記高速態様に切り替えることができないように制御することを特徴とする請求項１または２記載の舗装機械の運転者支援装置。
【発明の詳細な説明】
【技術分野】
【０００１】
本発明は舗装機械の運転者支援装置に関するものであり、特に、舗装機械に監視カメラを設置して、スクリード側で作業をしている作業者の死角となる合材ホッパ内部を、スクリード側で作業をしている作業者が監視カメラとモニタを使用して監視できるようにした舗装機械の運転者支援装置に関するものである。
【背景技術】
【０００２】
従来、アスファルトフィニッシャ等の舗装機械において、舗装機本体の前側に配設した合材ホッパ内の合材を前記舗装機本体の後側へ搬送するコンベアの運転速度と、該コンベアにより送られて来た合材を、その舗装機本体の後側で施工基面上に撒き広げるスクリュースプレッダの運転速度を、スクリード側で運転操作をしている作業者、すなわちスクリード側の作業者が、一時的に、合材ホッパ内の状況に関係なく通常態様の速度よりも速い速度で運転させる高速態様に切り替え、メインパネルに設けられている速度設定ダイヤルによる調整位置とは関係なく、合材量の供給調整ができるようにしたものは知られている。そのメインパネルは舗装機本体の運転席に設けられ、また、スクリード側で操作をする切り替えスイッチは、スクリード上に取り付けられたスクリードボックスに設けられている。
【０００３】
このような舗装機械では、舗装機械の運転席でメインパネル上のスイッチ類を操作しているとき、作業者は合材ホッパ内の状況を目視することができるが、スクリード側でスクリードボックスを使用して作業をしているときには、作業者は合材ホッパ内の状況を目視することができない。また、舗装機械の運転席でメインパネル上のスイッチ類を操作しているときでも、合材ホッパ内の一部が作業者の死角となり、合材ホッパ内を十分に目視することができない場合も少なくない。
【０００４】
そこで、従来、アスファルトフィニッシャ等の舗装機械において、舗装機本体に監視カメラを設置し、運転席で操作をしている作業者の死角となる合材ホッパ内部を監視カメラで撮影し、その撮影した映像を運転席に設けたモニタに映し出して監視できるようにした運転者支援装置（例えば、特許文献１、特許文献２参照）が知られている。
【０００５】
また、合材ホッパ内部を撮影した映像をスクリードの中央部にモニタを１台だけ設置し、そのモニタで常に合材ホッパ内を表示してなる運転者支援装置も知られている。
【先行技術文献】
【特許文献】
【０００６】
【特許文献１】特許第４７０５６１１号公報。
【特許文献２】特開２００９−２９９３３８号公報。
【発明の概要】
【発明が解決しようとする課題】
【０００７】
しかしながら、上述したように合材ホッパ内部を、運転席に設けたモニタで常に監視するようにした運転者支援装置では、スクリード側でスクリードボックスを使用して運転操作をしている作業者には合材ホッパ内の状況を知ることができない。そのため、合材ホッパ内のコンベア部に他の作業者が立ち入っているような場合、巻き込んでしまう虞があるという問題点があった。
【０００８】
また、切り替えスイッチ等の操作等とは関係なく、スクリードの中央部に１台だけ設置されているモニタに、合材ホッパ内部を撮影した映像を常に映し出している運転者支援装置では、合材ホッパの内部に他の作業者が立ち入っていても、いなくてもモニタに写し出されている映像にはさほど大きな変化がない。このため、合材ホッパ内に立ち入っている作業者がいてもモニタでの映像内で見落としてしまうという問題点や、スクリードの中央部に１台だけモニタが設置されている場合では、スクリード端部の作業者からはモニタの映像が見にくいという問題点があった。
【０００９】
そこで、スクリード側で操作をしている作業者が合材ホッパ内部の状況を確実に認識した状態で運転操作をすることができるようにするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、舗装機本体と、該舗装機本体の前側に配設されて合材を収容してなる合材ホッパと、前記合材ホッパ内の合材を前記舗装機本体の後側へ搬送するコンベアと、該コンベアにより送られて来た前記合材を前記舗装機本体の後側で施工基面上に撒き広げるスクリュースプレッダと、該スクリュースプレッダにて撒き広げられた合材を該スクリュースプレッダの後側で敷き均すスクリードと、前記コンベアの運転速度と前記スクリュースプレッダの運転速度を切り替え指示するためのスイッチ手段と、前記合材ホッパ内の状況を撮影する監視カメラと、前記スクリード上に設置された映像表示用のモニタと、を備える舗装機械であって、前記スイッチ手段の切り替え操作に連動して、前記モニタに表示される情報を機械情報から前記監視カメラで撮影された映像情報に切り替えるとともに、前記コンベアの運転速度と前記スクリュースプレッダの運転速度を通常態様の速度よりも速い高速態様に切り替えるコントローラを備える舗装機械の運転者支援装置を提供する。
【００１１】
この構成によれば、スイッチ手段が操作されると、コントローラの制御により、モニタに表示される情報を、速度、温度、設定等の機械情報から監視カメラで撮影された映像情報に切り替える。また、その後、必要に応じて、コンベアの運転速度とスクリュースプレッダの運転速度を一時的に通常態様の速度よりも速い高速態様側に切り替えることができる。したがって、モニタに映し出されている情報が、機械情報から映像情報に切り替えられて表示情報の内容が大きく変わることにより、コンベアの運転速度とスクリュースプレッダの運転速度が高速態様側に切り替えられることを、スクリード側で作業をしている作業者に対し確実に報知することができる。そして、この報知により作業者がモニタ映像を通して合材ホッパ内の状況を確認し、作業を安全に行うことができる。
【００１２】
請求項２記載の発明は、請求項１記載の構成において、上記スイッチ手段と上記モニタを、上記スクリードの左右両側２箇所に設けてなる舗装機械の運転者支援装置を提供する。
【００１３】
この構成によれば、スイッチ手段とモニタを、スクリードの左右両側２箇所に設けることにより、スクリードの左または右端部の何れの端で作業をして作業者であっても、その端部側に設けられているスイッチ手段を操作することにより、切り替え操作を容易に行うことができる。また、その両端部にそれぞれ設けられているモニタの映像を見ることにより、合材ホッパ内の状況を確実に知ることができる。
【００１４】
請求項３記載の発明は、請求項１または２記載の構成において、上記スイッチ手段は、上記モニタに表示される情報を上記機械情報から上記映像情報に切り替え指示するための切り替えスイッチと、上記コンベアの運転速度と上記スクリュースプレッダの運転速度を上記高速態様に切り替える高速撒き出しスイッチとよりなり、前記コントローラは、前記切り替えスイッチがオン操作されて前記モニタに上記映像情報を表示した後からでないと、前記高速撒き出しスイッチがオン操作されても前記コンベアの速度と前記スクリュースプレッダの速度を前記高速態様に切り替えないように制御する舗装機械の運転者支援装置を提供する。
【００１５】
この構成によれば、切り替えスイッチがオン操作されて、モニタに表示される情報が機械情報から映像情報に切り替えられた後からでないと、例え高速撒き出しスイッチがオン操作されたとしても、コンベアの運転速度とスクリュースプレッダの運転速度を高速態様に切り替わることがないので、切り替え操作時における安全対策がなされる。
【００１６】
請求項４記載の発明は、請求項１または２記載の構成において、上記コントローラは、上記スイッチ手段をオン操作して上記モニタに表示される情報を上記機械情報から上記監視カメラで撮影された映像情報に切り替えた後、該スイッチ手段を一度オフ操作し、所定時間後に再びオン操作することにより、上記コンベアに運転速度と上記スクリュースプレッダの運転速度を上記高速態様に切り替えるように制御する舗装機械の運転者支援装置を提供する。
【００１７】
この構成によれば、スイッチ手段がオン操作されるとモニタに表示される情報が、機械情報から映像情報に切り替えられる。そして、切り替え後、もう一度スイッチ手段をオフ操作し、所定時間後にスイッチ手段を再びオン操作しない場合には、コンベアの運転速度とスクリュースプレッダの運転速度が高速態様に切り替わることがないので、切り替え操作時における安全対策がなされる。
【００１８】
請求項５記載の発明は、請求項１または２記載の構成において、上記コントローラは、上記スイッチ手段を所定時間の間、オン操作し続けないと上記コンベアの運転速度と上記スクリュースプレッダの運転速度を上記高速態様に切り替えることができないように制御する舗装機械の運転者支援装置を提供する。
【００１９】
この構成によれば、スイッチ手段を単に押しただけではコンベアの運転速度とスクリュースプレッダの運転速度が高速態様に切り替えられることはなく、所定時間の間、オン操作をし続けるとコンベアの運転速度とスクリュースプレッダの運転速度を高速態様に切り替えることができるようにしているので、切り替え操作時における安全対策がなされる。
【発明の効果】
【００２０】
請求項１記載の発明は、コンベアの運転速度とスクリュースプレッダの運転速度を高速態様に切り替える操作が起こされると、コントローラの制御によりモニタに表示される情報を、速度、温度、設定等の機械情報から監視カメラで撮影された映像情報に切り替え、スクリード側で操作している作業者に高速態様に切り替える操作が起こされたことを確実知らせ、そしてスクリード側で操作している作業者はモニタに映し出されている映像を目視し、かつ、モニタ映像を通して合材ホッパ内の状況を確認し、その後、高速態様への切り替え作業を行うようにすることができるので、安全性の向上が期待できる。
【００２１】
請求項２記載の発明は、スクリードの左右両側の２箇所にそれぞれ設けられた切り替えスイッチとモニタを使用して、スクリードの左右両側において安全に作業を行うことができるので、請求項１の発明の効果に加えて、更に安全性の向上が期待できる。
【００２２】
請求項３記載の発明は、モニタに表示される情報を機械情報から監視カメラで撮影された映像情報に切り替えてモニタに映像情報を表示し、映像を通して安全を確認した後でないと、高速撒き出しスイッチがオン操作されてもコンベアの運転速度とスクリュースプレッダの運転速度が高速態様に切り替えできないようにしているので、請求項１または２に記載の発明の効果に加えて、更に安全性の向上が期待できる。
【００２３】
請求項４記載の発明は、スイッチ手段の操作をオンしただけでは、モニタに表示される情報は、機械情報から映像情報に切り替えられるだけであり、そして、もう一度スイッチ手段をオフ操作し、所定時間後にスイッチ手段を再びオン操作しないと、コンベアの運転速度とスクリュースプレッダの運転速度を高速態様に切り替えできないようにして安全対策を図っているので、請求項１または２の発明の効果に加えて、更に安全性の向上が期待できる。
【００２４】
請求項５記載の発明は、スイッチ手段を単に押しただけではコンベアの速度とスクリュースプレッダの速度が高速態様に切り替わらず、所定時間の間、オン操作をし続けることによってコンベアの運転速度とスクリュースプレッダの運転速度を高速態様に切り替えることができるようにして安全対策を図っているので、請求項１または２に記載の発明の効果に加えて、更に安全性の向上が期待できる。
【図面の簡単な説明】
【００２５】
【図１】本発明の一実施形態を示し、運転者支援装置を搭載したアスファルトフィニッシャの側面図。
【図２】同上アスファルトフィニッシャの平面図。
【図３】同上アスファルトフィニッシャの主要部材の配置構成を説明する模式図。
【図４】同上運転者支援装置における制御回路の概略構成ブロック図。
【図５】同上運転者支援装置のコントローラによる制御の一例を示すフローチャート。
【図６】同上運転者支援装置のコントローラによる制御の他の一例を示すフローチャート。
【図７】同上運転者支援装置のコントローラによる制御の更に他の一例を示すフローチャート。
【図８】同上運転者支援装置のコントローラによる制御の更に他の一例を示すフローチャート。
【発明を実施するための最良の形態】
【００２６】
本発明はスクリード側で操作をしている作業者が合材ホッパ内部の状況を確実に認識した状態で運転操作をすることができるようにするという目的を達成するために、舗装機本体と、該舗装機本体の前側に配設されて合材を収容してなる合材ホッパと、前記合材ホッパ内の合材を前記舗装機本体の後側へ搬送するコンベアと、該コンベアにより送られて来た前記合材を前記舗装機本体の後側で施工基面上に撒き広げるスクリュースプレッダと、該スクリュースプレッダにて撒き広げられた合材を該スクリュースプレッダの後側で敷き均すスクリードと、前記コンベアの運転速度と前記スクリュースプレッダの運転速度を切り替え指示するためのスイッチ手段と、前記合材ホッパ内の状況を撮影する監視カメラと、前記スクリード上に設置された映像表示用のモニタと、を備える舗装機械であって、前記スイッチ手段の切り替え操作に連動して、前記モニタに表示される情報を機械情報から前記監視カメラで撮影された映像情報に切り替えるとともに、前記コンベアの運転速度と前記スクリュースプレッダの運転速度を通常態様の速度よりも速い高速態様に切り替えるコントローラを備えるようにして実現した。
【００２７】
以下、本発明の実施形態による舗装機械の運転者支援装置を図面に基づいて説明する。
【実施例】
【００２８】
図１は本発明に係る運転者支援装置を搭載した舗装機械としてのアスファルトフィニッシャの側面図で、図２はそのアスファルトフィニッシャの平面図である。同図において、アスファルトフィニッシャ１１は、クローラ１２に支持された車体１３を有し、該車体１３に搭載されたパワーユニット１４内の図示しないエンジンの動力によって走行する自走式の舗装機本体１５と、該舗装機本体１５の前部に設けたアスファルト合材を収容する合材ホッパ１６と、該車体１３の左右の幅方向(紙面に垂直な方向)に向けて支持され、アスファルト合材を施工基面Ｇ上に撒き広げるスクリュースプレッダ１７と、該合材ホッパ１６内から該スクリュースプレッダ１７の前部までの間において該車体１３にその前後方向(図１で左右方向)に沿って設けられ、合材ホッパ１６内のアスファルト合材を該舗装機本体１５の後側へ前記スクリュースプレッダ１７の位置まで搬送するコンベア１８と、前端部が舗装機本体１５の前後方向における中央の両側部に回動自在に支持されているレベリングアーム１９によって舗装機本体１５に連結牽引され、かつシリンダ２０で上下に回動可能となっているスクリード２１と、舗装機本体１５の上部に設けられた操縦装置２２及び運転席２３を有する操縦室２４とを備えている。
【００２９】
なお、このアスファルトフィニッシャ１１の走行方向は図１の矢印Ａ方向である。また、前記合材ホッパ１６は、前記コンベア１８を挟んでそれぞれ左右へ拡開可能に形成され、かつ前記車体１３の前部両側に配設された油圧シリンダ２５，２６により、前記合材ホッパ１６の左右両側面がそれぞれ上下方向（前記車体１３の車幅方向内外）に回動して開閉する構造になっている。
【００３０】
前記舗装機本体１５上の前記操縦室２４に配設される前記運転席２３は、車幅方向に移動可能に設けられているとともに、前記操縦装置２２も運転者が座る前記運転席２３に合わせて左右の位置に移動切り換えができる構造になっている。その操縦装置２２には、図示しないが各種の設定ダイヤル等を配設してなるメインパネル２２ａが設けられている。
【００３１】
図２では、前記運転席２３と前記操縦装置２２が左側位置に移動されたときの状態を実線で示しており、この状態は運転者が左側の運転席２３に座って該操縦装置２２を操作するのに適した状態にある。一方、図２中に一点鎖線で示している状態は、前記運転席２３が右側位置に移動されたときの状態を示し、該運転席２３に連動して前記操縦装置２２も右側位置に移動され、運転者が右側の運転席２３に座って前記操縦装置２２を操作するのに適した状態が得られるようになっている。
【００３２】
前記スクリード２１には、該スクリード２１に設けられた作業ステップ２７に作業者が乗って運転操作をするためのスクリードボックス２８が左右両側位置に各々設けられ、前記舗装機本体１５上の操縦室２４の前側には、図１及び図２に示すように、合材ホッパ１６の内部を撮影可能な監視カメラ２９が設けられている。
【００３３】
図３は、図１及び図２に示したアスファルトフィニッシャ１１の要部配置構成を模式的に示す図である。図３を用いて更に説明すると、前記各スクリードボックス２８には、前記監視カメラ２９で撮影された映像を映し出すモニタ３０の他に、前記コンベア１８が前記合材ホッパ１６内の合材を前記舗装機本体１５の後側へ搬送する運転速度と前記スクリュースプレッダ１７の運転速度(撒き出し速度)を、通常の運転速度よりも速い高速態様に切り替え指示するための高速撒き出しスイッチ３１ａと、前記モニタ３０で表示される映像を、前記アスファルトフィニッシャ１１における各種速度、温度、設定等の機械情報を表示する機械情報から前記監視カメラ２９で撮影された映像情報に切り替え指示するための切り替えスイッチ３１ｂと、を有してなるスイッチ手段３１等が設けられている。
【００３４】
図４は、前記モニタ３０が表示する情報を切り替える手順と、前記コンベア１８の運転速度と前記スクリュースプレッダ１７の運転速度を高速態様に切り替える際、前記スクリード２１の作業ステップ２７に乗って作業をする作業者が安全に作業をすることができるように支援するための運転者支援装置の手順を制御する制御回路の一例を示す概略構成ブロック図である。
【００３５】
同図において、制御回路は、このアスファルトフィニッシャ１１の全体を予め決められた手順に従って制御する、主としてマイクロコンピュータからなるコントローラ３２と、前記監視カメラ２９及び該監視カメラ２９で撮影した映像を映し出す前記モニタ３０と、前記コンベア１８の運転速度と前記スクリュースプレッダ１７の運転速度をそれぞれ通常の速度からこれよりも速い高速態様に切り替えるための常開型の前記切替スイッチ３１ａと、該モニタ３０が前記機械情報を表示する態様と前記監視カメラ２９で撮影された前記映像情報を表示する態様とに切り替える前記切り替えスイッチ３１ｂと、前記コンベア１８の運転速度と前記スクリュースプレッダ１７の運転速度をそれぞれ高速態様に切り替えるための切り替えバルブ３４と等で構成されている。
【００３６】
すなわち、このアスファルトフィニッシャ１１では、該スクリード２１に設けられた前記作業ステップ２７に作業者が乗り、かつ前記スクリードボックス２８に設けられた前記切り替えスイッチ３１ｂをＯＮ・ＯＦＦ操作することにより、前記モニタ３０で表示される情報を前記機械情報と前記映像情報とに、択一的に切り替えることができる。また、高速撒き出しスイッチ３４を切り替え操作することにより、前記コンベア１８の運転速度と前記スクリュースプレッダ１７の運転速度を安全な状態で高速態様に切り替えできるようにした機能を有している。
【００３７】
図５は、前記スイッチ手段３１の前記切り替えスイッチ３１ｂをＯＮ・ＯＦＦ操作した際、前記コントローラ３２が前記モニタ３０の表示を前記機械情報または前記映像情報に、択一的に切り替える制御の一例を示すフローチャートである。図５において、前記コントローラ３２は、前記切替スイッチ３１ｂがＯＦＦ(開)のとき、前記モニタ３０の表示が、前記コンベア１８の運転速度及び前記スクリュースプレッダ１７の運転速度、エンジンの温度、各種設定等の機械情報を表示する (ステップＳ１)。したがって、前記スクリード２１の前記作業ステップ２７に乗って作業をする作業者は、前記モニタ３０に表示されている前記機械情報を見ながら作業を行うことができる。
【００３８】
また、前記コントローラ３２は、前記切替スイッチ３１ｂがＯＦＦからＯＮに切り替えられるのを監視しており(ステップＳ２)、該切替スイッチ３１ｂがＯＦＦからＯＮに切り替えられると、前記モニタ３０の表示が前記機械情報の表示から前記監視カメラ２９で撮影された前記合材ホッパ１６内の映像を映し出す前記映像表示に切り替える(ステップＳ３)。
【００３９】
したがって、前記スクリード２１の前記作業ステップ２７に乗って作業をする作業者は、前記モニタ３０に表示されている前記映像情報を見ながら作業を行うことができる。
【００４０】
そして、この映像表示は、前記切替スイッチ３１ｂが再びＯＦＦされるまで継続され(ステップＳ４)、ＯＦＦされるとステップＳ１へ移行して機械情報に切り替えられる。
【００４１】
図６は、図５の制御手順に、前記スイッチ手段３１の前記高速撒き出しスイッチ３１ａの操作を組み合わせてなる制御の一例を示すフローチャートである。
【００４２】
図６の制御手順を次に説明すると、前記コントローラ３２は、前記切替スイッチ３１ｂがＯＦＦのとき、前記モニタ３０が前記機械情報を表示するように制御している(ステップＳ１)。そして、前記切替スイッチ３１ｂがＯＦＦからＯＮに切り替えられるのを監視しており(ステップＳ２)、該切替スイッチ３１ｂがＯＦＦからＯＮ(閉)に切り替えられると、前記モニタ３０の表示が前記機械情報の表示から前記監視カメラ２９で撮影された前記合材ホッパ１６内の映像を映し出すカメラ映像表示に切り替える(ステップＳ３)。したがって、前記スクリード２１に設けられた前記作業ステップ２７に乗って作業をしている作業者は、前記モニタ３０に映し出された前記映像情報から合材ホッパ１６内の安全を確認することができる。
【００４３】
また、ステップＳ４に移行し、前記切替スイッチ３１ｂがＯＮからＯＦＦに切り替えられるか否かを監視する。前記切替スイッチ３１ｂがＯＮからＯＦＦに切り替えられた場合は、ステップＳ１に戻り、前記モニタ３０の表示を、前記映像表示から前記機械情報表示に切り替える。
【００４４】
一方、前記切替スイッチ３１ｂがＯＮからＯＦＦに切り替えられない場合、すなわちＯＮが継続されている場合は、ステップＳ６へ移行し、前記コンベア１８の運転速度と前記スクリュースプレッダ１７の運転速度が高速態様となるように、切り替えバルブ３４を制御する。そして、ステップＳ７に移行し、前記高速撒き出しスイッチ３１ａがＯＦＦに切り替えられたか否かを監視し、ＯＦＦに切り替えられない間はその高速態様を維持する。
【００４５】
反対に、前記切替スイッチ３１ｂがＯＮからＯＦＦに切り替えられた場合は、ステップＳ８へ移行し、高速態様から通常態様に戻し、その後、ステップＳ１に戻る。
【００４６】
したがって、このアスファルトフィニッシャ１１では、該スクリード２１に設けられた前記作業ステップ２７に作業者が乗り、かつ前記スクリードボックス２８に設けられた前記切り替えスイッチ３１ｂをＯＮ・ＯＦＦ操作することにより、前記モニタ３０で表示される情報を前記機械情報と前記映像情報とに切り替えることができる。また、前記高速撒き出しスイッチ３４を切り替え操作することによって、前記コンベア１８の運転速度と前記スクリュースプレッダ１７の運転速度を安全な状態で高速態様に切り替えることができる。
【００４７】
図７は、前記高速撒き出しスイッチ３１ａをＯＮ・ＯＦＦ操作した際、前記コントローラ３２が前記モニタ３０の表示を前記機械情報と前記映像情報に択一的に切り替えるとともに、前記コンベア１８の運転速度と前記スクリュースプレッダ１７の運転速度をそれぞれ高速態様に切り替える制御の一例を示すフローチャートである。
【００４８】
図７の制御手順を次に説明すると、前記コントローラ３２は、前記切替スイッチ３１ｂ及び前記高速撒き出しスイッチが共にＯＦＦのとき、前記モニタ３０が前記機械情報を表示するように制御している(ステップＳ１１)。そして、前記高速撒き出しスイッチ３１ａがＯＮされたか否かを監視している(ステップＳ１２)。
【００４９】
前記高速撒き出しスイッチ３１ａが１回ＯＮされると、前記モニタ３０の表示を前記機械情報から前記カメラ映像情報に切り替える(ステップＳ１３)。したがって、前記スクリード２１に設けられた前記作業ステップ２７に乗って作業をしている作業者は、前記高速撒き出しスイッチ３１ａが１回ＯＮされると同時に前記モニタ３０に映し出された前記映像情報から合材ホッパ１６内の安全を確認することができる。
【００５０】
その後、前記コントローラ３２は、前記高速撒き出しスイッチ３１ａが再びＯＮ、すなわち２回目のＯＮがされるか否かを監視する(ステップＳ１４)。前記高速撒き出しスイッチ３１ａの２回目のＯＮが確認された場合は、前回(１回目)のＯＮ操作からｔ１秒(例えば３秒)経っているか否かを判定する(ステップＳ１５)。そして、１回目のＯＮ操作からｔ１秒以上経っている場合には、１回目の前記高速撒き出しスイッチ３１ａのＯＮ操作をクリアし(ステップＳ１６)、ステップＳ１１に戻る。したがって、この制御では、モニタ３０に映し出された前記映像情報を見て、前記合材ホッパ１６内に問題があった場合、ｔ１秒経ってから前記高速撒き出しスイッチ３１ａが再び押されても１回目のＯＮ操作はクリアされ、前記コンベア１８の運転速度と前記スクリュースプレッダ１７の運転速度が高速態様に切り替えられることがなくなり、これにより安全性が図られる。
【００５１】
一方、前回(１回目)のＯＮ操作からｔ１秒経ってない場合は、ステップＳ１７に移行し、前記高速撒き出しスイッチ３１ａがＯＦＦされたか否かを判定する。ＯＦＦされた場合はステップＳ１６のクリアを経てステップＳ１１に戻る。これに対して、前記高速撒き出しスイッチ３１ａがＯＦＦされていない場合は、ステップＳ１８で前記コンベア１８の運転速度と前記スクリュースプレッダ１７の運転速度が高速態様となるように、切り替えバルブ３４を制御する。そして、ステップＳ１７に戻り、前記高速撒き出しスイッチ３１ａがＯＦＦされるまで高速態様を維持する。また、ＯＦＦされると高速態様を通常態様に戻し、その後ステップＳ１６のクリアを経てステップＳ１１に戻る。
【００５２】
図８は、前記高速撒き出しスイッチ３１ａをＯＮ・ＯＦＦ操作した際、前記コントローラ３２が前記モニタ３０の表示を前記機械情報と前記カメラ映像情報に、択一的に切り替えるとともに、その高速撒き出しスイッチ３１ａのＯＮ操作がｔ２秒(例えば２秒以上)以上長押しされた場合に、前記コンベア１８の運転速度と前記スクリュースプレッダ１７の運転速度をそれぞれ高速態様に切り替える制御の一例を示すフローチャートである。
【００５３】
図８の制御手順を次に説明すると、前記コントローラ３２は、前記切替スイッチ３１ｂ及び前記高速撒き出しスイッチが共にＯＦＦ(開)のとき、前記モニタ３０が前記機械情報を表示するように制御している(ステップＳ２１)。そして、前記高速撒き出しスイッチ３１ａがＯＮされたままの状態となる長押しＯＮがされたか否かを監視している(ステップＳ２２)。
【００５４】
前記高速撒き出しスイッチ３１ａがＯＮされると、前記モニタ３０の表示を前記機械情報から前記映像情報に切り替える(ステップＳ２３)。したがって、前記スクリード２１に設けられた前記作業ステップ２７に乗って作業をしている作業者は、前記高速撒き出しスイッチ３１ａがＯＮされると同時に前記モニタ３０に映し出された前記映像情報から前記合材ホッパ１６内の安全を確認することができる。
【００５５】
そして、前記高速撒き出しスイッチ３１ａがＯＮされたままの状態、すなわち長押しがｔ２秒(例えば２秒)以上持続されているか否かを監視する(ステップＳ２４)。
【００５６】
前記高速撒き出しスイッチ３１ａのＯＮ操作がｔ２秒前に取り消された場合には、ステップＳ２５で該高速撒き出しスイッチ３１ａのＯＮ操作を取り消し、ステップＳ２１に戻る。したがって、前記モニタ３０に映し出された前記映像情報を見て、前記合材ホッパ１６内に問題があった場合、ｔ２秒以内に前記高速撒き出しスイッチ３１ａの押下(ＯＮ操作)を取り消すと、前記コンベア１８の運転速度と前記スクリュースプレッダ１７の運転速度が高速態様に切り替えられることがなくなり、これにより安全性が図られる。
【００５７】
一方、前記高速撒き出しスイッチ３１ａのＯＮ操作がｔ２秒前経っている、すなわち長押しされた場合は、ステップＳ２６に移行し、前記高速撒き出しスイッチ３１ａがＯＦＦされたか否かを判定する。ＯＦＦされた場合はステップＳ２６のクリアを経てステップＳ２１に戻る。これに対して、前記高速撒き出しスイッチ３１ａがＯＦＦされていない場合は、ステップＳ２７で前記コンベア１８の運転速度と前記スクリュースプレッダ１７の運転速度が高速態様となるように、切り替えバルブ３４を制御する。そして、ステップＳ２６に戻り、前記高速撒き出しスイッチ３１ａがＯＦＦされるまで高速態様を維持する。また、ＯＦＦされると高速態様を通常態様に戻し、その後ステップＳ２５のクリアを経てステップＳ２１に戻る。
【００５８】
なお、本発明は、本発明の精神を逸脱しない限り種々の改変を為すことができ、そして、本発明が該改変されたものに及ぶことは当然である。
【産業上の利用可能性】
【００５９】
上記実施形態においては、本発明による舗装機械の運転者支援装置をアスファルトフィニッシャに適用した場合を説明したが、本発明はこれに限られるものではなく、広く道路舗装機械に適用することも可能である。
【符号の説明】
【００６０】
１１      アスファルトフィニッシャ(舗装機械)
１２      クローラ
１３      車体
１４      パワーユニット
１５      舗装機本体
１６      合材ホッパ
１７      スクリュースプレッダ
１８      コンベア(コンベア)
１９      レベリングアーム
２０      シリンダ
２１      スクリード
２２      操縦装置
２２ａ    メインパネル
２３      運転席
２４      操縦室
２５,２６  油圧シリンダ
２７      作業ステップ
２８      スクリードボックス
２９      監視カメラ
３０      モニタ
３１ａ      高速撒き出しスイッチ
３２      コントローラ
３１ｂ      切り替えスイッチ
３４      切り替えバルブ
【図１】
2014047568.tif 000003
【図２】
2014047568.tif 000004
【図３】
2014047568.tif 000005
【図４】
2014047568.tif 000006
【図５】
2014047568.tif 000007
【図６】
2014047568.tif 000008
【図７】
2014047568.tif 000009
【図８】
2014047568.tif 000010